(57)【特許請求の範囲】
【請求項１】
回転操作に従って回転可能な操作レバーと、
ロックされた状態においては、第１の方向に回転することが妨げられ、前記操作レバーの回転に伴って前記操作レバーから押圧を受けて前記第１の方向とは逆の第２の方向に回転することによってロックが解除されるロックレバーと、を備え、
前記操作レバーおよび前記ロックレバーのうち、少なくともいずれか一方のレバーは、回転軸と他方のレバー側の端部との間に屈曲部位を有する、
自動取引装置。
【請求項２】
前記操作レバーは、前記回転軸と前記ロックレバー側の端部との間に前記屈曲部位を有する、
請求項１に記載の自動取引装置。
【請求項３】
前記操作レバーは、ストッパによって所定の基準位置から所定の角度を超えて前記第１の方向に回転することが妨げられている、
請求項２に記載の自動取引装置。
【請求項４】
前記屈曲部位は、前記ロックレバーがロックされた状態において、前記操作レバーが前記基準位置に存在する場合と前記基準位置から前記所定の角度だけ前記第１の方向に回転した場合とで、前記操作レバーと前記ロックレバーとの上下関係が逆転しないように屈曲している、
請求項３に記載の自動取引装置。
【請求項５】
前記操作レバーは、前記ロックレバーに接触して前記ロックレバーに前記押圧を与える接触面を有しており、
前記屈曲部位は、前記接触面とは反対側に屈曲している、
請求項２に記載の自動取引装置。
【請求項６】
前記自動取引装置は、前記操作レバーと前記ロックレバーとの複数の組み合わせを有する、
請求項１に記載の自動取引装置。
【請求項７】
前記ロックレバーは、前記回転軸と前記操作レバー側の端部との間に前記屈曲部位を有する、
請求項１に記載の自動取引装置。
【請求項８】
回転操作に従って回転可能な操作レバーと、
ロックされた状態においては、第１の方向に回転することが妨げられ、前記操作レバーの回転に伴って前記操作レバーから押圧を受けて前記第１の方向とは逆の第２の方向に回転することによってロックが解除されるロックレバーと、
前記ロックレバーと離れた場合、前記操作レバーが所定の基準位置を基準として前記第１の方向に回転することを許容する許容位置から、前記操作レバーが前記基準位置を基準として前記第１の方向に回転することを妨げる妨害位置に、移動または回転するストッパと、
を備える、自動取引装置。
【請求項９】
前記ストッパは、前記操作レバーに直接または所定の介在部材を介して取り付けられているとともに前記妨害位置に対する付勢力を有しており、
前記ロックレバーは、前記ストッパと前記ロックレバーとが接触している場合、前記ストッパとの接触により前記ストッパを前記許容位置に停止させる、
請求項８に記載の自動取引装置。
【請求項１０】
前記ロックレバーは、前記ストッパと前記ロックレバーとが離れた場合、前記ストッパを前記妨害位置に移動または回転させる、
請求項９に記載の自動取引装置。
【請求項１１】
前記自動取引装置は、
前記ストッパが前記妨害位置から前記許容位置に移動または回転するように前記ストッパを押圧する押圧部材を有する、
請求項１０に記載の自動取引装置。
【請求項１２】
前記押圧部材は、前記ロックレバーに設けられている、
請求項１１に記載の自動取引装置。
【発明の詳細な説明】
【技術分野】
【０００１】
本発明は、自動取引装置に関する。
【背景技術】
【０００２】
従来、操作者による操作に従って自動的に取引を行う自動取引装置が知られている。自動取引装置の筐体内部には各種のユニットが存在しており、自動取引装置の管理者はユニットを外部から引き出してユニットの保守作業を行うことが可能である。ここで、自動取引装置が取引を実行している間にユニットが自動取引装置から引き出されると、操作者がユニットと筐体との間に手を挟むおそれがあるため、取引実行中に、自動的にユニットを筐体にロックする技術が開示されている（例えば、特許文献１参照）。
【先行技術文献】
【特許文献】
【０００３】
【特許文献１】特開２００７−９４４８０号公報
【発明の概要】
【発明が解決しようとする課題】
【０００４】
ところで、ロックレバーのロックを解除させるために操作レバーが用いられる場合がある。かかる場合、操作レバーとロックレバーとの上下関係が逆転した状態で操作レバーとロックレバーとが接触してしまうと、ロックレバーが操作レバーから意図しない方向に圧力を受けてしまい、ロックレバーが変形などを起こして正常に機能しなくなる可能性がある。そこで、ロックレバーが正常に機能しなくなる可能性を低減する技術の提供が望まれる。
【課題を解決するための手段】
【０００５】
上記問題を解決するために、本発明のある観点によれば、回転操作に従って回転可能な操作レバーと、ロックされた状態においては、第１の方向に回転することが妨げられ、前記操作レバーの回転に伴って前記操作レバーから押圧を受けて前記第１の方向とは逆の第２の方向に回転することによってロックが解除されるロックレバーと、を備え、前記操作レバーおよび前記ロックレバーのうち、少なくともいずれか一方のレバーは、回転軸と他方のレバー側の端部との間に屈曲部位を有する、自動取引装置が提供される。
【０００６】
前記操作レバーは、前記回転軸と前記ロックレバー側の端部との間に前記屈曲部位を有してよい。
【０００７】
前記操作レバーは、ストッパによって所定の基準位置から所定の角度を超えて前記第１の方向に回転することが妨げられていてよい。
【０００８】
前記屈曲部位は、前記ロックレバーがロックされた状態において、前記操作レバーが前記基準位置に存在する場合と前記基準位置から前記所定の角度だけ前記第１の方向に回転した場合とで、前記操作レバーと前記ロックレバーとの上下関係が逆転しないように屈曲していてよい。
【０００９】
前記操作レバーは、前記ロックレバーに接触して前記ロックレバーに前記押圧を与える接触面を有しており、前記屈曲部位は、前記接触面とは反対側に屈曲していてよい。
【００１０】
前記自動取引装置は、前記操作レバーと前記ロックレバーとの複数の組み合わせを有してよい。
【００１１】
前記ロックレバーは、前記回転軸と前記操作レバー側の端部との間に前記屈曲部位を有してよい。
【００１２】
また、本発明の他の観点によれば、回転操作に従って回転可能な操作レバーと、ロックされた状態においては、第１の方向に回転することが妨げられ、前記操作レバーの回転に伴って前記操作レバーから押圧を受けて前記第１の方向とは逆の第２の方向に回転することによってロックが解除されるロックレバーと、前記ロックレバーと離れた場合、前記操作レバーが所定の基準位置を基準として前記第１の方向に回転することを許容する許容位置から、前記操作レバーが前記基準位置を基準として前記第１の方向に回転することを妨げる妨害位置に、移動または回転するストッパと、を備える、自動取引装置が提供される。
【００１３】
前記ストッパは、前記操作レバーに直接または所定の介在部材を介して取り付けられているとともに前記妨害位置に対する付勢力を有しており、前記ロックレバーは、前記ストッパと前記ロックレバーとが接触している場合、前記ストッパとの接触により前記ストッパを前記許容位置に停止させてよい。
【００１４】
前記ロックレバーは、前記ストッパと前記ロックレバーとが離れた場合、前記ストッパを前記妨害位置に移動または回転させてよい。
【００１５】
前記自動取引装置は、前記ストッパが前記妨害位置から前記許容位置に移動または回転するように前記ストッパを押圧する押圧部材を有してよい。
【００１６】
前記押圧部材は、前記ロックレバーに設けられていてよい。
【発明の効果】
【００１７】
以上説明したように本発明によれば、ロックレバーが正常に機能しなくなる可能性を低減することが可能となる。
【図面の簡単な説明】
【００１８】
【図１】一般的な自動取引装置に適用され得る一般的な紙幣入出金機の内部構成例を示す図である。
【図２】一般的な自動取引装置の内部構成例を示す図である。
【図３】ロック部の構造を示す図である。
【図４】紙幣入出金機を筐体から引き出した状態を示す図である。
【図５】下部ユニットおよびリアユニットを筐体およびメインユニットから引き出した状態を示す図である。
【図６】図５に示した状態から、リアユニットを引き出した状態を示す図である。
【図７】メインユニットおよび下部ユニットの双方が引き出された場合を想定したイメージ図である。
【図８】正常に操作がなされた場合における一般的な自動取引装置が有するロック部の機能を説明するための図である。
【図９】正常な操作がなされなかった場合における一般的な自動取引装置が有するロック部の機能を説明するための図である。
【図１０】本発明の第１の実施形態に係る操作レバーが所定の基準位置に維持されている場合を示す図である。
【図１１】同実施形態に係る操作レバーが所定の基準位置から回転してしまっている場合を示す図である。
【図１２】正常に操作がなされなかった場合における本発明の第１の実施形態に係る操作レバーおよびロックレバーそれぞれの機能を説明するための図である。
【図１３】本発明の第２の実施形態に係るロックレバーがロックされている状態におけるロックブラケットの正面図である。
【図１４】同実施形態に係るロックレバーがロックされていない状態におけるロックブラケットの正面図である。
【図１５】同実施形態に係るロックブラケットの上面図である。
【図１６】同実施形態に係るストッパの機能を説明するための上面図である。
【図１７】同実施形態に係るストッパの機能を説明するための正面図である。
【発明を実施するための形態】
【００１９】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２０】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２１】
（１．一般的な自動取引装置の概要）
まず、一般的な自動取引装置の概要について説明する。なお、以下の説明においては、自動取引装置を操作者が操作する場合に、自動取引装置を基準として操作者が存在する方向を「前」とし、自動取引装置を基準として操作者が存在する方向とは反対方向を「後」とする。また、自動取引装置の操作者から見て右方向および左方向をそれぞれ「右」および「左」とし、自動取引装置の操作者から見て上方向および下方向をそれぞれ「上」および「下」とする。
【００２２】
また、自動取引装置の典型的な例としては、ＡＴＭ（Ａｕｔｏｍａｔｅｄ  ｔｅｌｌｅｒ  ｍａｃｈｉｎｅ）が挙げられるが、自動取引装置は、かかる例に限定されない。自動取引装置は、ロックレバーと操作レバーとを少なくとも一組有する装置であればよい。また、自動取引装置が設置される場所も限定されず、コンビニエンスストアであってもよいし、銀行の店舗であってもよい。
【００２３】
図１は、一般的な自動取引装置に適用され得る一般的な紙幣入出金機９００の内部構成例を示す図である。図１に示すように、紙幣入出金機９００は、入出金部１０２を備える。また、入出金部１０２は、分離部１０３ａと、集積部１０３ｂとを備える。また、紙幣入出金機９００は、シャッタ１０４と、識別部１０５と、一時保留部１０６とを備える。一時保留部１０６は、分離部１０３ａおよび集積部１０３ｂを備える。
【００２４】
また、紙幣入出金機９００は、複数の収納部１０７を備える。複数の収納部１０７それぞれは、分離集積部１０８を有する。また、紙幣入出金機９００は、装填庫１０９を備える。装填庫１０９は、収納部１１０と、リジェクト部１１１とを備え、収納部１１０およびリジェクト部１１１それぞれは、集積部１０３ｂを有する。また、紙幣入出金機９００は、取り込み部１１２と、リジェクト部１１３とを備える。取り込み部１１２およびリジェクト部１１３それぞれは、集積部１０３ｂを備える。
【００２５】
また、図１に示すように、紙幣入出金機９００は、複数の収納部１０７を有する。図１に示した例では、収納部１０７の個数は４つであるが、収納部１０７の個数は特に限定されない。また、本明細書においては、紙幣入出金機９００によって紙幣が扱われる場合を主に想定するが、紙幣入出金機９００によって紙幣以外の媒体（例えば、硬貨、通帳、カードなど）が扱われてもよい。また、本明細書においては、複数の収納部１０７それぞれに、収納可能な金種が定められている例を説明する。
【００２６】
まず、紙幣挿入時における紙幣入出金機９００の動作について説明する。紙幣挿入時において、シャッタ１０４が開かれると、入出金部１０２には、操作者から１または複数の紙幣１０１が挿入される。続いて、図示しないセンサによって１または紙幣が検出されると、シャッタ１０４が閉じられる。挿入された１または複数の紙幣は、入出金部１０２によって集積され、入出金部１０２における分離部１０３ａによって１枚ずつ分離されて識別部１０５に搬送される。
【００２７】
続いて、識別部１０５は、紙幣が正常であるか否かを識別する。識別部１０５によって異常であると識別された紙幣は、入出金部１０２に搬送され、入出金部１０２における集積部１０３ｂによって入出金部１０２に集積され、シャッタ１０４が開かれると、入出金部１０２から操作者によって取り出される。一方、識別部１０５によって正常であると識別された紙幣は、一時保留部１０６に搬送される。一時保留部１０６に搬送された紙幣は、一時保留部１０６における集積部１０３ｂによって一時保留部１０６に集積される。
【００２８】
一時保留部１０６によって保留された１または複数の紙幣は、操作者によって取引がキャンセルされると、一時保留部１０６における分離部１０３ａによって１枚ずつ分離されて入出金部１０２に搬送され、入出金部１０２における集積部１０３ｂによって入出金部１０２に集積され、シャッタ１０４が開かれると、１または複数の紙幣は、入出金部１０２から操作者によって取り出される。一方、一時保留部１０６によって保留された１または複数の紙幣は、操作者によって取引が確定されると、一時保留部１０６における分離部１０３ａによって１枚ずつ分離されて識別部１０５に搬送される。
【００２９】
続いて、識別部１０５によって紙幣が異常であると識別されると、紙幣はリジェクト部１１３に搬送される。リジェクト部１１３に搬送された紙幣は、リジェクト部１１３における集積部１０３ｂによってリジェクト部１１３に集積される。一方、識別部１０５によって紙幣が正常であると識別されると、紙幣は識別部１０５によって識別された金種に対応する収納部１０７に搬送される。収納部１０７に搬送された紙幣は、分離集積部１０８によって収納部１０７に集積される。
【００３０】
続いて、紙幣排出時における紙幣入出金機９００の動作の概要について説明する。紙幣排出時において、操作者によって指定された金種の紙幣が収納された収納部１０７からは、収納部１０７における分離集積部１０８によって紙幣が１枚ずつ分離され、分離された紙幣が識別部１０５に搬送される。続いて、識別部１０５は、紙幣が正常であるか否かを識別する。識別部１０５によって正常であると識別された紙幣は、入出金部１０２に搬送され、入出金部１０２における集積部１０３ｂによって入出金部１０２に集積される。
【００３１】
シャッタ１０４が開かれると、入出金部１０２から操作者によって取り出される。ここで、操作者が取り出し忘れた紙幣は、取り込み部１１２に搬送され、取り込み部１１２における集積部１０３ｂによって取り込み部１１２に集積されてよい。一方、識別部１０５によって異常であると識別された紙幣は、リジェクト部１１３に搬送される。リジェクト部１１３に搬送された紙幣は、リジェクト部１１３における集積部１０３ｂによってリジェクト部１１３に集積される。
【００３２】
続いて、紙幣補充時における紙幣入出金機９００の動作の概要について説明する。装填庫１０９に１または複数の紙幣が装填されると、装填庫１０９における分離集積部１０８によって紙幣が１枚ずつ分離され、分離された紙幣が識別部１０５に搬送される。続いて、識別部１０５は、紙幣が正常であるか否かを識別する。
【００３３】
続いて、識別部１０５によって紙幣が異常であると識別されると、紙幣はリジェクト部１１３に搬送される。リジェクト部１１３に搬送された紙幣は、リジェクト部１１３における集積部１０３ｂによってリジェクト部１１３に集積される。一方、識別部１０５によって紙幣が正常であると識別されると、紙幣は識別部１０５によって識別された金種に対応する収納部１０７に搬送される。収納部１０７に搬送された紙幣は、分離集積部１０８によって収納部１０７に集積される。
【００３４】
なお、装填庫１０９に装填された紙幣を計数することも可能である。具体的には、装填庫１０９に装填された１または複数の紙幣が分離集積部１０８によって１枚ずつ分離されると、分離された紙幣が収納部１１０に搬送される。このとき、装填庫１０９から収納部１１０に搬送される紙幣を計数することが可能である。収納部１１０に搬送された紙幣は、収納部１１０における集積部１０３ｂによって収納部１１０に集積される。
【００３５】
続いて、一般的な自動取引装置９０の内部構成例について説明する。図２は、一般的な自動取引装置９０の内部構成例を示す図である。図２に示すように、一般的な自動取引装置９０は、紙幣入出金機９００と、筐体１２４とを有している。また、図２に示すように、紙幣入出金機９００は、メインユニット１１４と、下部ユニット１１５と、リアユニット１１６とを有している。メインユニット１１４は、図１に示した、入出金部１０２と、シャッタ１０４と、識別部１０５と、一時保留部１０６とを備える。
【００３６】
一方、下部ユニット１１５は、図１に示した、複数の収納部１０７を備える。リアユニット１１６は、図１に示した、収納部１１０と、リジェクト部１１１と、取り込み部１１２と、リジェクト部１１３とを備える。自動取引装置９０は、筐体１２４と紙幣入出金機９００との間にスライドレール１１７を有しており、紙幣入出金機９００は、スライドレール１１７によって支持されながら、筐体１２４の外部に取り出され得る。
【００３７】
さらに、自動取引装置９０は、ロック部１２５ａおよびロック部１２５ｂを備える。ロック部１２５ａおよびロック部１２５ｂそれぞれの構造について、図３を参照しながら、さらに詳細に説明する。図３は、ロック部１２５ａおよびロック部１２５ｂそれぞれの構造を示す図である。図３に示すように、ロック部１２５ａは、操作レバー１１９ａと、支点ポスト１２０ａと、ロックレバー１２１ａと、支点ポスト１２２ａとを有する。
【００３８】
操作レバー１１９ａは、装填庫１０９に設けられたロックブラケット１２６に支点ポスト１２０ａを介して固定されており、回転操作に従って支点ポスト１２０ａを回転軸として回転可能である。また、ロックレバー１２１ａは、メインユニット１１４に支点ポスト１２２ａを介して固定されており、筐体１２４に設けられたロックポスト１２３ａに係合することによってロックされる。ロックレバー１２１ａがロックされると、メインユニット１１４と筐体１２４とが水平方向に離れることが防止される。ロックレバー１２１ａのロックは、操作レバー１１９ａの回転によって解除され得る。
【００３９】
一方、操作レバー１１９ｂは、装填庫１０９に設けられたロックブラケット１２６に支点ポスト１２０ｂを介して固定されており、回転操作に従って支点ポスト１２０ｂを回転軸として回転可能である。また、ロックレバー１２１ｂは、下部ユニット１１５に支点ポスト１２２ｂを介して固定されており、メインユニット１１４に設けられたロックポスト１２３ｂに係合することによってロックされる。ロックレバー１２１ｂがロックされると、メインユニット１１４と下部ユニット１１５とが水平方向に離れることが防止される。ロックレバー１２１ｂのロックは、操作レバー１１９ｂの回転によって解除され得る。
【００４０】
図４は、紙幣入出金機９００を筐体１２４から引き出した状態を示す図である。図４に示すように、操作レバー１１９ａの回転操作に従って、ロックレバー１２１ａのロックが解除されると（ロックレバー１２１ａのロックポスト１２３ａに対する係合が解除されると）、メインユニット１１４は筐体１２４から水平方向に離れることが可能になる。そのため、メインユニット１１４がスライドレール１１７によって支持されながら（メインユニット１１４に付随して、下部ユニット１１５およびリアユニット１１６もスライドレール１１７によって支持されながら）、筐体１２４から引き出されることが可能となる。
【００４１】
図５は、下部ユニット１１５およびリアユニット１１６を筐体１２４およびメインユニット１１４から引き出した状態を示す図である。図５に示すように、操作レバー１１９ｂの回転操作に従って、ロックレバー１２１ｂのロックが解除されると（ロックレバー１２１ｂのロックポスト１２３ｂに対する係合が解除されると）、下部ユニット１１５はメインユニット１１４から水平方向に離れることが可能になる。そのため、下部ユニット１１５がスライドレール１１８によって支持されながら（下部ユニット１１５に付随して、リアユニット１１６もスライドレール１１８によって支持されながら）、筐体１２４およびメインユニット１１４から引き出されることが可能になる。
【００４２】
図６は、図５に示した状態から、リアユニット１１６を引き出した状態を示す図である。本明細書においては、下部ユニット１１５とリアユニット１１６との間は、特にロックされていない場合を想定している。そこで、図５に示すように、下部ユニット１１５およびリアユニット１１６がスライドレール１１８によって支持されながら、筐体１２４およびメインユニット１１４から引き出されると、図６に示すように、下部ユニット１１５からリアユニット１１６をさらに離すことが可能である。ここで、メインユニット１１４および下部ユニット１１５の双方を同時に引き出すことが可能であると仮定する。
【００４３】
図７は、メインユニット１１４および下部ユニット１１５の双方が引き出された場合を想定したイメージ図である。図７に示したように、メインユニット１１４および下部ユニット１１５の双方を同時に引き出すことが可能であると仮定すると、筐体１２４とメインユニット１１４との間のスライドレール１１７と、メインユニット１１４と下部ユニット１１５との間のスライドレール１１８とに、大きな荷重が掛かりやすい。そのため、スライドレール１１７およびスライドレール１１８に故障が生じやすい。
【００４４】
そこで、自動取引装置９０は、ロックレバー１２１ａおよびロックレバー１２１ｂの双方を同時に引き出すことを不可能にするための機構を有しているのがよい。具体的には、ロックレバー１２１ａおよびロックレバー１２１ｂとは分離された操作レバー１１９ａおよび操作レバー１１９ｂを、同一のロックブラケット１２６に設け、ロックブラケット１２６に操作レバー１１９ａおよび操作レバー１１９ｂのうち、一方のみしか回転できないような機構を設けるとよい。
【００４５】
以上、一般的な自動取引装置９０の概要について説明した。
【００４６】
（２．一般的なロック部）
続いて、一般的な自動取引装置９０が有するロック部１２５ａおよびロック部１２５ｂそれぞれの詳細な機能について説明する。まず、正常に操作がなされた場合におけるロック部１２５ａおよびロック部１２５ｂそれぞれの機能について説明する。図８は、正常に操作がなされた場合における一般的な自動取引装置９０が有するロック部１２５ａおよびロック部１２５ｂそれぞれの機能を説明するための図である。
【００４７】
図８の「第１段階」に示した例において、操作レバー１１９ａは、ロックブラケット１２６に支点ポスト１２０ａを介して固定されている。また、ロックレバー１２１ａは、ロックポスト１２３ａに係合することによってロックされている。ロックレバー１２１ａは、ロックされた状態においては、第１の方向（図８の反時計回り）に回転することが、ロックポスト１２３ａによって妨げられている。ここで、第１の方向は特に限定されず、レバーの回転可能な二方向のうちのいずれか一方であればよい。
【００４８】
また、図８の「第１段階」に示した例において、操作レバー１１９ｂは、ロックブラケット１２６に支点ポスト１２０ｂを介して固定されている。また、ロックレバー１２１ｂは、ロックポスト１２３ｂに係合することによってロックされている。ロックレバー１２１ｂは、ロックされた状態においては、第１の方向（図８の反時計回り）に回転することが、ロックポスト１２３ｂによって妨げられている。
【００４９】
操作レバー１１９ａおよび操作レバー１１９ｂそれぞれは、管理者による回転操作に従って支点ポスト１２０ｂを回転軸として第１の方向（図８の反時計回り）に回転可能である。ここで、図８の「第２段階」に示したように、管理者が操作レバー１１９ｂに対して第１の方向（図８の反時計回り）への回転操作を行うと、操作レバー１１９ｂが第１の方向（図８の反時計回り）に回転してロックレバー１２１ｂに対して押圧を与える。
【００５０】
このとき、ロックレバー１２１ｂは、操作レバー１１９ｂから押圧を受けて第１の方向とは逆方向（図８の時計回り）に回転することによって、ロックレバー１２１ｂのロックポスト１２３ｂへの係合が解除される。ロックレバー１２１ｂのロックポスト１２３ｂへの係合が解除されると、ロックレバー１２１ｂのロックが解除され、管理者が下部ユニット１１５をメインユニット１１４から引き出すと、図８の「第３段階」に示すように、ロックレバー１２１ｂがロックポスト１２３ｂから水平方向に遠ざけられる。このとき、下部ユニット１１５に付随して装填庫１０９も引き出されれば、図８の「第３段階」に示すように、操作レバー１１９ａもロックレバー１２１ａから水平方向に遠ざけられる。
【００５１】
続いて、管理者が下部ユニット１１５をメインユニット１１４に押し込む動作を開始させると、図８の「第４段階」に示すように、ロックレバー１２１ｂがロックポスト１２３ｂに接触する。このとき、図８の「第４段階」に示すように、管理者は操作レバー１１９ａを第１の方向（図８の反時計回り）に回転させずに所定の基準位置（図８の「第４段階」においては、水平位置）に維持しており、操作レバー１１９ａとロックレバー１２１ａとの上下関係は逆転されていない。なお、所定の基準位置は特に限定されないが、操作レバー１１９ａがロックレバー１２１を押圧し始める位置であってよい。
【００５２】
管理者が下部ユニット１１５をメインユニット１１４に押し込む動作を継続すると、図８の「第５段階」に示すように、ロックレバー１２１ｂは、ロックポスト１２３ｂから押圧を受けることによって第１の方向とは逆方向（図８の時計回り）に回転する。また、操作レバー１１９ａとロックレバー１２１ａとの上下関係は逆転されていないため、装填庫１０９もメインユニット１１４に押し込まれれば、図８の「第５段階」に示すように、操作レバー１１９ａもロックレバー１２１ａに近づけられる。
【００５３】
さらに、図８の「第６段階」に示すように、ロックレバー１２１ｂは、ロックポスト１２３ｂに係合することによって再びロックされる。以上、図８を参照しながら説明したように、下部ユニット１１５をメインユニット１１４に押し込む動作がなされても、操作レバー１１９ａとロックレバー１２１ａとの上下関係が逆転していなければ、ロックレバー１２１ａが操作レバー１１９ａから意図しない方向に圧力を受けることはない。
【００５４】
続いて、正常に操作がなされなかった場合におけるロック部１２５ａおよびロック部１２５ｂそれぞれの機能について説明する。図９は、正常な操作がなされなかった場合における一般的な自動取引装置９０が有するロック部１２５ａおよびロック部１２５ｂそれぞれの機能を説明するための図である。図９の「第１段階」から「第３段階」までは、図８の「第１段階」から「第３段階」までと同様に実行される。
【００５５】
続いて、管理者が下部ユニット１１５をメインユニット１１４に押し込む動作を開始させると、図９の「第４段階」に示すように、ロックレバー１２１ｂがロックポスト１２３ｂに接触する。このとき、図９の「第４段階」に示すように、管理者は操作レバー１１９ａを第１の方向（図８の反時計回り）に回転させて所定の基準位置（図８の「第４段階」においては、水平位置）から回転させてしまい、操作レバー１１９ａとロックレバー１２１ａとの上下関係は逆転してしまっている。
【００５６】
このとき、装填庫１０９もメインユニット１１４に押し込まれると、操作レバー１１９ａもロックレバー１２１ａに近づけられるが、図９の「第５段階」に示すように、操作レバー１１９ａとロックレバー１２１ａとの上下関係が逆転した状態で操作レバー１１９ａとロックレバー１２１ａとが接触してしまう。そのため、ロックレバー１２１ａが操作レバー１１９ａから意図しない方向に圧力を受けてしまい、ロックレバー１２１ａが変形などを起こして正常に機能しなくなる可能性がある。
【００５７】
さらに、図９の「第６段階」に示すように、ロックレバー１２１ｂは、ロックポスト１２３ｂに係合することによって再びロックされるが、ロックレバー１２１ａが変形などを起こして正常に機能しなくなると、ロックレバー１２１ｂも正常にロックされないといった状況も起こり得る。以上、図９を参照しながら説明したように、下部ユニット１１５をメインユニット１１４に押し込む動作がなされた場合、操作レバー１１９ａとロックレバー１２１ａとの上下関係が逆転してしまっていると、ロックレバー１２１ａが操作レバー１１９ａから意図しない方向に圧力を受けてしまう可能性がある。その結果、ロックレバー１２１ａが変形などを起こして正常に機能しなくなる可能性がある。
【００５８】
そこで、本明細書においては、操作レバー１１９ａとロックレバー１２１ａとの上下関係が逆転した状態で操作レバー１１９ａとロックレバー１２１ａとが接触してしまうことを防ぐことによって、ロックレバー１２１ａが正常に機能しなくなる可能性を低減する技術を主に提案する。なお、本発明の実施形態に係る自動取引装置が有する構成のうち、既に説明した一般的な自動取引装置９０が有する構成と同一な構成について、説明を省略する。
【００５９】
（３．第１の実施形態の説明）
まず、本発明の第１の実施形態について説明する。本発明の第１の実施形態に係る自動取引装置は、ストッパ２９ａおよびストッパ２９ｂを有する点、操作レバー１１９ａおよび操作レバー１１９ｂが操作レバー１９ａおよび操作レバー１９ｂに変更されている点が、一般的な自動取引装置９０と特に著しく異なる特徴部分である。したがって、以下の説明においては、かかる特徴部分について主に説明する。
【００６０】
図１０は、本発明の第１の実施形態に係る操作レバー１９ａが所定の基準位置（図１０においては、水平位置）に維持されている場合を示す図である。図１０に示すように、本発明の第１の実施形態に係る操作レバー１９ａは、支点ポスト１２０ａとロックレバー１２１ａ側の端部との間に屈曲部位を有している。
【００６１】
図１１は、本発明の第１の実施形態に係る操作レバー１９ａが所定の基準位置（図１０においては、水平位置）から回転してしまっている場合を示す図である。図１１に示すように、操作レバー１９ａが、支点ポスト１２０ａとロックレバー１２１ａ側の端部との間に屈曲部位を有していれば、操作レバー１９ａが所定の基準位置（図１０においては、水平位置）から回転されていても、操作レバー１９ａとロックレバー１２１ａとの上下関係が逆転される可能性が低減される。
【００６２】
このように、操作レバー１９ａとロックレバー１２１ａとの上下関係が逆転される可能性が低減されれば、操作レバー１９ａとロックレバー１２１ａとが接触しても、ロックレバーが操作レバーから意図しない方向に圧力を受ける可能性が低減される。その結果として、ロックレバー１２１ａが変形などを起こして正常に機能しなくなる可能性が低減される。
【００６３】
ここで、操作レバー１９ａにおける屈曲部位の屈曲度合いは特に限定されず、図１１に示すように、連続的に屈曲してもよいし、１または複数の箇所において不連続的に屈曲していてもよい。操作レバー１９ａにおける屈曲部位が屈曲する方向は限定されないが、図１１に示すように、操作レバー１９ａは、ロックレバー１２１ａに接触してロックレバー１２１ａに押圧を与える接触面を有しており、屈曲部位は、接触面とは反対側に屈曲してよい。
【００６４】
なお、図１１に示すように、操作レバー１９ａが所定の基準位置（図１１においては、水平位置）から所定の角度を超えて第１の方向（図１１の反時計回り）に回転することを妨げるストッパ２９ａがロックブラケット１２６に設けられているとよい。そうすれば、操作レバー１９ａとロックレバー１２１ａとの上下関係が逆転される可能性がさらに低減され、ロックレバー１２１ａが変形などを起こして正常に機能しなくなる可能性がさらに低減される。
【００６５】
このとき、屈曲部位は、ロックレバー１２１ａがロックポスト１２３ａに係合した状態において、操作レバー１９ａが所定の基準位置（図１１においては、水平位置）に存在する場合と所定の基準位置（図１１においては、水平位置）から所定の角度だけ第１の方向（図１１の反時計回り）に回転した場合とで、操作レバー１９ａとロックレバー１２１ａとの上下関係が逆転しないように屈曲していればよい。ロックレバー１２１ａが変形などを起こして正常に機能しなくなる可能性がより確実に低減される。
【００６６】
なお、本明細書においては、管理者が操作レバー１９ａに対して回転操作をしてしまった場合を主に説明するが、管理者が操作レバー１９ｂに対して回転操作をしてしまう場合も想定される。かかる場合には、操作レバー１９ａと同様に、操作レバー１９ｂが、支点ポスト１２０ｂとロックレバー１２１ｂ側の端部との間に屈曲部位を有していれば、操作レバー１９ｂが所定の基準位置（図１０においては、水平位置）から回転されていても、操作レバー１９ｂとロックレバー１２１ｂとの上下関係が逆転される可能性が低減される。
【００６７】
また、本明細書においては、操作レバー１９ａが、支点ポスト１２０ａとロックレバー１２１ａ側の端部との間に屈曲部位を有している場合を主に説明するが、ロックレバー１２１ａが、支点ポスト１２２ａと操作レバー１９ａ側の端部との間に屈曲部位を有していても、操作レバー１９ａが屈曲部位を有する場合と同様の効果を享受することが可能である。
【００６８】
そのとき、ロックレバー１２１ａにおける屈曲部位の屈曲度合いは特に限定されず、連続的に屈曲してもよいし、１または複数の箇所において不連続的に屈曲していてもよい。ロックレバー１２１ａにおける屈曲部位が屈曲する方向は限定されないが、ロックレバー１２１ａは、操作レバー１９ａに接触して操作レバー１９ａから押圧を受ける接触面を有しており、屈曲部位は、接触面とは反対側に屈曲してよい。同様に、ロックレバー１２１ｂが、支点ポスト１２２ｂと操作レバー１９ｂ側の端部との間に屈曲部位を有していてもよい。
【００６９】
続いて、正常に操作がなされなかった場合における操作レバー１９ａおよびロックレバー１２１ａそれぞれの機能について説明する。図１２は、正常に操作がなされなかった場合における本発明の第１の実施形態に係る操作レバー１９ａおよびロックレバー１２１ａそれぞれの機能を説明するための図である。図１２の「第１段階」から「第３段階」までは、図８の「第１段階」から「第３段階」までと同様に実行される。
【００７０】
続いて、管理者が下部ユニット１１５をメインユニット１１４に押し込む動作を開始させると、図１２の「第４段階」に示すように、ロックレバー１２１ｂがロックポスト１２３ｂに接触する。このとき、図１２の「第４段階」に示すように、管理者が誤って操作レバー１９ａを第１の方向（図１２の反時計回り）に回転させて所定の基準位置（図１２の「第４段階」においては、水平位置）から回転させてしまったとしても、操作レバー１９ａとロックレバー１２１ａとの上下関係は逆転しない。
【００７１】
このとき、装填庫１０９もメインユニット１１４に押し込まれると、操作レバー１９ａもロックレバー１２１ａに近づけられるが、図１２の「第５段階」に示すように、操作レバー１９ａとロックレバー１２１ａとの上下関係が逆転していない状態で操作レバー１９ａとロックレバー１２１ａとが接触する。そのため、ロックレバー１２１ａが操作レバー１１９ａから意図しない方向に圧力を受けなくなり、ロックレバー１２１ａが変形などを起こして正常に機能しなくなる可能性が低減される。
【００７２】
さらに、図１２の「第６段階」に示すように、ロックレバー１２１ｂは、ロックポスト１２３ｂに係合することによって再びロックされる。このとき、ロックレバー１２１ａが変形などを起こして正常に機能しなくなる可能性が低減されているため、ロックレバー１２１ｂが正常にロックされないといった状況も起こりにくくなっている。ロックレバー１２１ａも、屈曲部位を有するロックレバー１２１ａにおける接触面を摺動しながら、ロックポスト１２３ａに係合することによってロックされる。
【００７３】
以上、本発明の第１の実施形態について説明した。
【００７４】
（４．第２の実施形態の説明）
続いて、本発明の第２の実施形態について説明する。本発明の第２の実施形態に係る自動取引装置は、ストッパ２７ａおよび支点ポスト２８ａを有する点、ロックブラケット１２６がロックブラケット２６に変更されている点、ロックレバー１２１ａがロックレバー２１ａに変更され、ロックレバー１２１ｂがロックレバー２１ｂに変更されている点が、一般的な自動取引装置９０と特に著しく異なる特徴部分である。したがって、以下の説明においては、かかる特徴部分について主に説明する。
【００７５】
図１３は、本発明の第２の実施形態に係るロックレバー２１ａがロックされている状態におけるロックブラケット２６の正面図である。また、図１４は、本発明の第２の実施形態に係るロックレバー２１ａがロックされていない状態におけるロックブラケット２６の正面図である。また、図１５は、本発明の第２の実施形態に係るロックブラケット２６の上面図である。
【００７６】
ストッパ２７ａは、操作レバー１１９ａに直接または所定の介在部材を介して取り付けられている。例えば、図１３および図１４に示すように、操作レバー１１９ａは、支点ポスト１２０ａを介してロックブラケット２６に取り付けられ、図１５に示すように、ストッパ２７ａは、支点ポスト２８ａを介してロックブラケット２６に取り付けられる。このとき、図１３および図１４に示すように、ロックブラケット２６には、ストッパ２７ａの回転を許容する孔３０ａが設けられてよい。
【００７７】
同様に、ストッパ２７ｂは、操作レバー１１９ｂに直接または所定の介在部材を介して取り付けられている。例えば、図１３および図１４に示すように、操作レバー１１９ｂは、支点ポスト１２０ｂを介してロックブラケット２６に取り付けられ、図１５に示すように、ストッパ２７ｂは、支点ポスト２８ｂを介してロックブラケット２６に取り付けられる。このとき、図１３および図１４に示すように、ロックブラケット２６には、ストッパ２７ｂの回転を許容する孔３０ｂが設けられてよい。
【００７８】
続いて、本発明の第２の実施形態に係るストッパ２７ａおよびストッパ２７ｂを代表して、ストッパ２７ａの詳細な機能について説明する。したがって、以下に説明するストッパ２７ａの機能は、ストッパ２７ｂにも同様に適用され得る。図１６は、本発明の第２の実施形態に係るストッパ２７ａの機能を説明するための上面図である。また、図１７は、本発明の第２の実施形態に係るストッパ２７ａの機能を説明するための正面図である。なお、図１６および図１７においては、ストッパ２７ｂとストッパ２７ｂに対応する各構成が省略されている。
【００７９】
まず、メインユニット１１４が筐体１２４に収納されており、図１６および図１７の「第１段階」に示すように、ストッパ２７ａとロックレバー２１ａとが接触している場合を想定する。かかる場合、ストッパ２７ａは、操作レバー１１９ａが所定の基準位置（図１７においては、水平位置）を基準として第１の方向（図１７の反時計回り）に回転することを許容する位置（以下、「許容位置」とも言う。）に存在する。
【００８０】
より具体的には、ストッパ２７ａは、図示しない弾性体によって支点ポスト２８ａを回転軸として回転しようとする付勢力を有している。しかし、図１６の「第１段階」に示すように、ストッパ２７ａとロックレバー２１ａとが接触している場合、ロックレバー２１ａは、ストッパ２７ａを許容位置に停止させることが可能である。
【００８１】
続いて、管理者がメインユニット１１４を筐体１２４から引き出し、図１６および図１７の「第２段階」に示すように、ストッパ２７ａとロックレバー２１ａとが離れた場合を想定する。かかる場合、図１６に示すように、ストッパ２７ａは、操作レバー１１９ａが所定の基準位置（図１７においては、水平位置）を基準として第１の方向（図１７の反時計回り）に回転することを妨げる位置（以下、「妨害位置」とも言う。）に回転する。
【００８２】
より具体的には、ストッパ２７ａは、上記したように付勢力を有している。そのため、図１６および図１７の「第２段階」に示すように、ストッパ２７ａとロックレバー２１ａとが離れた場合、ロックレバー２１ａは、ストッパ２７ａを妨害位置に回転させることが可能である。なお、ここでは、ストッパ２７ａが妨害位置まで回転する例を示したが、ストッパ２７ａは、平行移動などによって妨害位置に移動してもよい。
【００８３】
以上に説明したように、ストッパ２７ａとロックレバー２１ａとが離れた場合、ストッパ２７ａが妨害位置（「第２段階」におけるストッパ２７ａの位置）に回転するため、操作レバー１１９ａは、所定の基準位置（図１７においては、水平位置）を基準として第１の方向（図１７の反時計回り）に回転することができなくなる。そのため、操作レバー１１９ａとロックレバー２１ａとの上下関係が逆転される可能性が低減される。
【００８４】
このようにして、操作レバー１１９ａとロックレバー２１ａとの上下関係が逆転される可能性が低減されれば、操作レバー１１９ａとロックレバー２１ａとが接触しても、ロックレバーが操作レバーから意図しない方向に圧力を受ける可能性が低減される。その結果として、ロックレバー２１ａが変形などを起こして正常に機能しなくなる可能性が低減される。
【００８５】
続いて、管理者がメインユニット１１４を筐体１２４に押し込み始め、図１６および図１７の「第３段階」に示すように、ストッパ２７ａとロックレバー２１ａとが接触した場合、ストッパ２７ａが許容位置（「第１段階」におけるストッパ２７ａの位置）に向けて回転し始める。このとき、図１６の「第３段階」に示すように、ロックレバー２１ａは、ストッパ２７ａが許容位置に回転するようにストッパ２７ａを押圧する押圧部材３１ａを有しているとよい。
【００８６】
なお、押圧部材３１ａが設けられる位置は、ロックレバー２１ａに限定されず、筐体１２４の内壁であってもよいし、筐体１２４の内部の各種ユニットの外壁であってもよい。また、図１６の「第３段階」に示すように、ストッパ２７ａは、押圧部材３１ａと接触した後に、ストッパ２７ａが許容位置（「第１段階」におけるストッパ２７ａの位置）に戻るようにストッパ２７ａの回転を誘導するガイド面３２ａを有しているとよい。
【００８７】
さらに、管理者がメインユニット１１４を筐体１２４に押し込み続けると、図１６および図１７の「第４段階」に示すように、ストッパ２７ａが許容位置（「第１段階」におけるストッパ２７ａの位置）まで回転する。ストッパ２７ａが許容位置に存在すれば、操作レバー１１９ａが所定の基準位置（図１７においては、水平位置）を基準として第１の方向（図１７の反時計回り）に回転することが許容される。
【００８８】
以上、本発明の第２の実施形態について説明した。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９０】
本明細書においては、自動取引装置が操作レバーとロックレバーとの組み合わせを２つ有する例を説明したがが、かかる組み合わせの数は、１つであってもよいし、３つ以上であってもよい。また、本明細書においては、ロックレバーが筐体にロックされ、ロックレバーがメインユニットにロックされる例を説明したが、ロックレバーおよびロックレバーは、自動取引装置の内部または外部のいずれの部位にロックされてもよい。
【００９１】
また、例えば、自動取引装置の動作全体を制御するための図示しない制御部が自動取引装置の内部に存在してよい。この図示しない制御部は、専用のハードウェアによって構成されてもよいし、自動取引装置に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【００９２】
１０    自動取引装置
１９ａ  操作レバー
１９ｂ  操作レバー
２１ａ  ロックレバー
２１ｂ  ロックレバー
２６    ロックブラケット
２７ａ  ストッパ
２７ｂ  ストッパ
２８ａ  支点ポスト
２８ｂ  支点ポスト
２９ａ  ストッパ
２９ｂ  ストッパ
３０ａ  孔
３０ｂ  孔
３１ａ  押圧部材
３２ａ  ガイド面
１０２  入出金部
１０３ａ  分離部
１０３ｂ  集積部
１０４  シャッタ
１０５  識別部
１０６  一時保留部
１０７  収納部
１０８  分離集積部
１０９  装填庫
１１０  収納部
１１１  リジェクト部
１１２  部
１１３  リジェクト部
１１４  メインユニット
１１５  下部ユニット
１１６  リアユニット
１１７  スライドレール
１１８  スライドレール
１１９ａ  操作レバー
１１９ｂ  操作レバー
１２０ａ  支点ポスト
１２０ｂ  支点ポスト
１２１ａ  ロックレバー
１２１ｂ  ロックレバー
１２２ａ  支点ポスト
１２２ｂ  支点ポスト
１２３ａ  ロックポスト
１２３ｂ  ロックポスト
１２４  筐体
１２６  ロックブラケット
【図１】
0006569283.tif 000002
【図２】
0006569283.tif 000003
【図３】
0006569283.tif 000004
【図４】
0006569283.tif 000005
【図５】
0006569283.tif 000006
【図６】
0006569283.tif 000007
【図７】
0006569283.tif 000008
【図８】
0006569283.tif 000009
【図９】
0006569283.tif 000010
【図１０】
0006569283.tif 000011
【図１１】
0006569283.tif 000012
【図１２】
0006569283.tif 000013
【図１３】
0006569283.tif 000014
【図１４】
0006569283.tif 000015
【図１５】
0006569283.tif 000016
【図１６】
0006569283.tif 000017
【図１７】
0006569283.tif 000018